(57)【要約】  一例において、部分的に乾燥したインクジェット媒体の調整装置のシステムは、部分的に乾燥したインクジェット媒体の第１の側に圧力を加え、かつ部分的に乾燥したインクジェット媒体の第２の側に熱を加えるように構成されている、加熱した圧力ローラを有している。【選択図】図１
2019529160.tif 000002
【特許請求の範囲】
【請求項１】
部分的に乾燥したインクジェット媒体の調整装置であって、
部分的に乾燥したインクジェット媒体の第１の側に圧力を加え、かつ前記部分的に乾燥したインクジェット媒体の第２の側に熱を加えるように構成される、加熱した圧力ローラ
を備える調整装置。
【請求項２】
前記加熱した圧力ローラが、前記部分的に乾燥したインクジェット媒体に適用した印刷流体の蒸発を促進させるように構成されている、請求項１に記載の調整装置。
【請求項３】
前記加熱した圧力ローラが、前記部分的に乾燥したインクジェット媒体のいくつかの歪められた性状を回復させるように構成されている、請求項１に記載の調整装置。
【請求項４】
前記加熱した圧力ローラの入力部に連結された乾燥器ゾーンを備えている請求項１に記載の調整装置。
【請求項５】
前記乾燥器ゾーンが、前記部分的に乾燥したインクジェット媒体の水分レベルを閾値まで下げるように構成されている、請求項４に記載の調整装置。
【請求項６】
部分的に乾燥したインクジェット媒体の調整装置のシステムであって、
部分的に乾燥したインクジェット媒体を生成するために、媒体上に印刷流体を付着させるインクジェット印刷ゾーンであって、前記部分的に乾燥したインクジェット媒体が、前記印刷流体によって生じた、歪められた性状を含む、インクジェット印刷ゾーンと、
前記部分的に乾燥したインクジェット媒体を前記インクジェット印刷ゾーンから受け入れ、前記部分的に乾燥したインクジェット媒体に圧力及び熱を加える、加熱した圧力ローラであって、前記圧力及び熱が、前記部分的に乾燥したインクジェット媒体から、歪められた性状を軽減させるようになっている、加熱した圧力ローラと
を備えるシステム。
【請求項７】
前記歪められた性状が、前記部分的に乾燥したインクジェット媒体内から立ちあがった複数の繊維を含む、請求項６に記載のシステム。
【請求項８】
前記加熱した圧力ローラは、前記部分的に乾燥したインクジェット媒体の第１の側を受け入れるように構成される圧力ローラと、前記部分的に乾燥したインクジェット媒体の第２の側を受け入れるように構成される、加熱したローラとを含む、請求項６に記載のシステム。
【請求項９】
前記加熱した圧力ローラは、閾値を上回る水分レベルを伴う前記部分的に乾燥したインクジェット媒体を受け入れるように構成されている、請求項８に記載のシステム。
【請求項１０】
前記加熱した圧力ローラは、前記部分的に乾燥したインクジェット媒体の第１の側、及び前記部分的に乾燥したインクジェット媒体の第２の側に熱を加えるように構成されている、請求項６に記載のシステム。
【請求項１１】
前記印刷ゾーンと、前記部分的に乾燥したインクジェット媒体に前記印刷流体によって生成した画像を固着させる、前記加熱した圧力ローラとの間に連結した乾燥器ゾーンを備えている請求項１０に記載のシステム。
【請求項１２】
部分的に乾燥したインクジェット媒体の調整装置のシステムであって、
部分的に乾燥したインクジェット媒体を入力部にて受け入れて、前記部分的に乾燥したインクジェット媒体の第１の側に圧力を加え、かつ前記部分的に乾燥したインクジェット媒体の第２の側に熱を加えるように構成される第１の加熱した圧力ローラと、
前記第１の加熱した圧力ローラの出力部に連結された第２の加熱した圧力ローラと
を備えているシステム。
【請求項１３】
前記第２の加熱した圧力ローラは、前記部分的に乾燥したインクジェット媒体の第１の側に圧力を加え、かつ前記部分的に乾燥したインクジェット媒体の第２の側に熱を加えるように構成されている、請求項１２に記載のシステム。
【請求項１４】
前記第２の加熱した圧力ローラは、前記部分的に乾燥したインクジェット媒体の第２の側に圧力を加え、かつ前記部分的に乾燥したインクジェット媒体の第１の側に熱を加えるように構成されている、請求項１２に記載のシステム。
【請求項１５】
前記第１の加熱した圧力ローラ及び前記第２の加熱した圧力ローラの速度は、前記部分的に乾燥したインクジェット媒体に張力を加えるように変化する構成となっている、請求項１２に記載のシステム。
【発明の詳細な説明】
【背景技術】
【０００１】
インクジェットプリンタは、印刷可能媒体（例えば、紙、プラスチック等）上に印刷流体を付着させることを可能とする。いくつかの例においては、インクジェットプリンタによって付着した印刷流体の小滴が完全に乾燥していないときに、インクジェットプリンタは、印刷媒体に捩れ、及び／又はシワを作り出すことがある。いくつかの例においては、インクジェットプリンタによって付着した印刷流体の小滴が完全に乾燥していないときに、印刷可能媒体のいくつかの物理的性状が変化することがある。例えば、インクジェットプリンタによって付着した印刷流体の小滴が完全に乾燥していないときに、印刷可能媒体の剛性が変化することがある。捩れ、シワ、及び／又は印刷流体の小滴によって変化する他の物理的性状は、最終的なプロセスを困難にすることがある。
【図面の簡単な説明】
【０００２】
【図１】本開示に係る部分的に乾燥したインクジェット媒体の調整装置の例示的なシステムを示す図である。
【図２】本開示に係る部分的に乾燥したインクジェット媒体の調整装置の例示的なシステムを示す図である。
【図３】本開示に係る部分的に乾燥したインクジェット媒体の調整装置の例示的なシステムを示す図である。
【図４】本開示に係る部分的に乾燥したインクジェット媒体の調整装置の例示的なシステムを示す図である。
【図５】本開示に係る部分的に乾燥したインクジェット媒体の調整装置の例示的なシステムを示す図である。
【発明を実施するための形態】
【０００３】
部分的に乾燥したインクジェット媒体の調整装置のいくつかのシステム及びデバイスについて、本明細書において説明する。いくつかの例においては、部分的に乾燥したインクジェット媒体の調整装置は、部分的に乾燥したインクジェット媒体の第１の側に圧力を加え、かつ部分的に乾燥したインクジェット媒体の第２の側に熱を加えるように構成された、加熱した圧力ローラを含む。本明細書にて用いる場合においては、部分的に乾燥したインクジェット媒体は、媒体上で完全に乾燥していない印刷流体であって、インクジェット式印刷デバイスからの印刷流体を適用した媒体を含むことができる。部分的に乾燥したインクジェット媒体の調整装置を利用して、部分的に乾燥したインクジェット媒体に適用した印刷流体の蒸発を促進させ、部分的に乾燥したインクジェット媒体から、歪められた性状を除去又は軽減することができる。
【０００４】
部分的に乾燥したインクジェット媒体は、積み重ねるとき、位置合わせするとき、及び／又は仕上げるときに、問題を起こすことがある。例えば、部分的に乾燥したインクジェット媒体は、捩れ、シワ、剛性の低下、表面粗さの増加、表面からの繊維の突出、不整列の繊維、及び／又は媒体のシート間摩擦の増加等のように、歪められた性状を有し得る。いくつかの例においては、これらの歪められた性状は、媒体上に付着した印刷流体によって、及び印刷流体を吸収する媒体によって生じ得る。例えば、印刷流体は、紙等の媒体によって吸収され得る液体状態であることがある。この例においては、印刷流体の液体状態は、他の液体が媒体の性状を歪めることがあるのと同様に、歪められた媒体の性状を生じさせることがある。
【０００５】
いくつかの例においては、部分的に乾燥したインクジェット媒体の調整装置を利用して、部分的に乾燥したインクジェット媒体に適用した印刷流体の蒸発を促進させることができる。いくつかの例においては、部分的に乾燥したインクジェット媒体の調整装置は、部分的に乾燥したインクジェット媒体に適用した印刷流体によって生じた、歪められた性状を、除去又は軽減することができる。例えば、部分的に乾燥したインクジェット媒体は、部分的に乾燥したインクジェット媒体によって加えられた圧力及び熱により、部分的に乾燥したインクジェット媒体の表面に埋め込まれ得る繊維であって、表面から突出した繊維を含むことがある。いくつかの例においては、部分的に乾燥したインクジェット媒体の調整装置は、加熱した圧力ローラを含むことができる。いくつかの例においては、加熱した圧力ローラは、部分的に乾燥したインクジェット媒体の第１の側に圧力を加えるように構成される圧力ローラと、部分的に乾燥したインクジェット媒体の第２の側に熱を加えるように構成される加熱したローラとを含むことができる。
【０００６】
いくつかの例においては、部分的に乾燥したインクジェット媒体の調整装置は、複数の加熱した圧力ローラを利用することができる。いくつかの例においては、複数の加熱した圧力ローラを利用して、部分的に乾燥したインクジェット媒体の第１の側に熱及び圧力を加え、部分的に乾燥したインクジェット媒体の第２の側に熱及び圧力を加えることができる。いくつかの例においては、複数の加熱した圧力ローラを利用して、本明細書で説明するように、部分的に乾燥したインクジェット媒体に張力を加えることもできる。いくつかの例においては、加えた熱、圧力、及び張力は、部分的に乾燥したインクジェット媒体から、歪められた性状を除去又は軽減することができる。
【０００７】
本明細書の図面は、初めの数字が図面番号に相当し、残りの数字が図面中の要素又は構成要素を識別するという番号付けの決まり事に従っている。本明細書の様々な図面に示される要素は、本開示のいくつかの追加の例を提供するように、追加、交換、及び／又は排除されることがあり得る。さらに、図中に提供される要素の比率及び相対的縮尺は、本開示の例を示すことが意図されていて、限定として捉えるべきではない。
【０００８】
図１は、本開示に係る部分的に乾燥したインクジェット媒体の調整装置の例示的なシステム１００を示す。いくつかの例においては、システム１００をインクジェットプリンタ内に位置付けて、印刷ゾーンから部分的に乾燥したインクジェット媒体１０４を受け入れることができる。本明細書にて用いる場合において、印刷ゾーンは、印刷媒体（例えば、紙、プラスチック等）上に印刷流体を付着させる領域であって、インクジェットプリンタの印刷エンジン内の領域を含む。いくつかの例においては、印刷ゾーンは、印刷媒体上に画像を生成するために、印刷媒体上に印刷流体を付着させることができる複数のインクジェットヘッドを含むことができる。本明細書で説明するように、印刷媒体上に付着される印刷流体は、いくつかの歪められた性状を含んだインクジェット媒体１０４であって、部分的に乾燥したインクジェット媒体１０４を生じさせることがある。
【０００９】
いくつかの例においては、システム１００は、部分的に乾燥したインクジェット媒体１０４を受け入れるために調整装置１０８を含むことができる。いくつかの例においては、調整装置１０８は、第１のローラ１０９−１及び第２のローラ１０９−２を含むことができる。いくつかの例においては、第１のローラ１０９−１は、部分的に乾燥したインクジェット媒体の第１の側を受け入れることができる。例えば、第１のローラ１０９−１は、図１に例示するように、部分的に乾燥したインクジェット媒体の上側を受け入れることができる。いくつかの例においては、第２のローラ１０９−２は、部分的に乾燥したインクジェット媒体１０４の第２の側を受け入れることができる。例えば、第２のローラ１０９−２は、図１に例示するように、部分的に乾燥したインクジェット媒体１０４の下側を受け入れることができる。
【００１０】
いくつかの例においては、調整装置１０８は加熱した圧力ローラであってよい。本明細書で使用されるとき、加熱した圧力ローラは、部分的に乾燥したインクジェット媒体１０４の第１の側に圧力を加え、かつ部分的に乾燥したインクジェット媒体１０４の第２の側に熱を加えることができる。いくつかの例においては、第１のローラ１０９−１及び第２のローラ１０９−２のうちの一方は圧力ローラであってよく、対向するローラは加熱したローラであってよい。例えば、第１のローラ１０９−１は圧力ローラであってよく、かつ第２のローラ１０９−２は加熱したローラであってよい。別の例においては、第１のローラ１０９−１は加熱したローラであってよく、かつ第２のローラ１０９−２は圧力ローラであってよい。本明細書で使用するとき、圧力ローラは、部分的に乾燥したインクジェット媒体１０４の１つの側に圧力を加えるために利用されるローラであってよく、加熱したローラは、部分的に乾燥したインクジェット媒体１０４の１つの側に熱を加えるために利用されるローラであってよい。
【００１１】
いくつかの例においては、部分的に乾燥したインクジェット媒体１０４は、閾値を上回る水分レベルを含むことがある。いくつかの例においては、部分的に乾燥したインクジェット媒体の水分レベルが閾値を上回るとき、調整装置１０８は、部分的に乾燥したインクジェット媒体１０４の歪められた特徴の大部分を除去することができる。例えば、調整装置１０８を利用して、本明細書で説明するような、歪められた特徴を除去又は軽減するために、部分的に乾燥したインクジェット媒体１０４を改善（reform、改良）することができる。いくつかの例においては、部分的に乾燥したインクジェット媒体１０４の水分レベルが閾値を下回るとき、部分的に乾燥したインクジェット媒体１０４は、それほど多くの歪められた特徴を改善及び／又は除去しなくてよい。本明細書にて用いる場合においては、改善することは、部分的に乾燥したインクジェット媒体１０４の多くの繊維を再整列させることを含む。
【００１２】
システム１００は、従来のシステム及び方法に比べて、部分的に乾燥したインクジェット媒体１０４の歪められた特徴を、より多く除去することができる。例えば、システム１００は、部分的に乾燥したインクジェット媒体１０４に適用された印刷流体の蒸発を促進させる、加熱した圧力ローラを用いる調整装置１０８を利用することができる。いくつかの例においては、調整装置１０８は、部分的に乾燥したインクジェット媒体１０４の性状のうちの多くを改善することができ、それによって、付着した印刷流体によって生じる、部分的に乾燥したインクジェット媒体１０４の歪められた性状を、除去又は軽減することができる。
【００１３】
図２は、本開示に係る部分的に乾燥したインクジェット媒体の調整装置の例示的なシステム２００を示す。いくつかの例においては、システム２００は、図１にて参照したシステム１００と類似の要素を含むことができる。いくつかの例においては、システム２００は、部分的に乾燥したインクジェット媒体２０４を生成する印刷ゾーン２０２であって、印刷媒体上に印刷流体を付着させる印刷ゾーン２０２を含むことができる。いくつかの例においては、部分的に乾燥したインクジェット媒体は、印刷ゾーン２０２から調整装置２０８へ矢印２１０の方向に移動できる。
【００１４】
いくつかの例においては、部分的に乾燥したインクジェット媒体２０４−１は、歪められた性状２０６を含むことがある。いくつかの例においては、歪められた性状２０６は、部分的に乾燥したインクジェット媒体２０４−１の表面から立ちあがった繊維を含むことがある。いくつかの例においては、歪められた性状２０６は、積み重ねるとき、位置合わせするとき、及び／又は仕上げるときに、問題をもたらすことがある。いくつかの例においては、調整装置２０８を利用して、歪められた性状２０６を、部分的に乾燥したインクジェット媒体２０４−１から除去又は軽減して、歪められた性状がより少ない、又は歪められた性状のないインクジェット媒体２０４−２であって、部分的に乾燥したインクジェット媒体２０４−２を生成することができる。いくつかの例においては、調整装置２０８は、部分的に乾燥したインクジェット媒体２０４−１に圧力及び熱を加えるために、本明細書で説明するような加熱した圧力ローラを含むことができる。
【００１５】
いくつかの例においては、部分的に乾燥したインクジェット媒体２０４−１は、第２のローラ２０９−２に受け入れられる、部分的に乾燥したインクジェット媒体２０４−１の印刷された側（例えば、印刷流体が付着した側）又は直近で印刷された側（例えば、両面印刷の印刷流体が付着した第２の側）をもって、調整装置２０８に提供され得る。例えば、媒体の印刷された側は、歪められた多くの性状２０６を含むことがある。この例においては、部分的に乾燥したインクジェット媒体２０４−１の印刷された側及び／又は直近に印刷された側は、第２のローラ２０９−２が加熱したローラである場合は第２のローラ２０９−２によって受け入れられてよい。この例においては、歪められた多くの性状２０６を伴う、部分的に乾燥したインクジェット媒体２０４−１の１つの側を、加熱した圧力ローラの加熱したローラに提供して、部分的に乾燥したインクジェット媒体２０４−１に適用された印刷流体の蒸発を促進させることができる。
【００１６】
いくつかの例においては、調整装置２０８は、第１のローラ２０９−１及び第２のローラ２０９−２を含むことができる。いくつかの例においては、第１のローラ２０９−１は、部分的に乾燥したインクジェット媒体２０４−１の第１の側に圧力を加える圧力ローラであってよい。いくつかの例においては、第１のローラ２０９−１は、図２に例示するように、部分的に乾燥したインクジェット媒体２０４−１の上側に、圧力を加えることができる。いくつかの例においては、第２のローラ２０９−２は、部分的に乾燥したインクジェット媒体２０４−２の第２の側に熱を加える加熱したローラであってよい。いくつかの例においては、第２のローラ２０９−２は、図２に例示するように、部分的に乾燥したインクジェット媒体２０４−１の下側に、熱を加えることができる。
【００１７】
いくつかの例においては、第１のローラ２０９−１は、第２のローラ２０９−２の方向に力を加えることによって、部分的に乾燥したインクジェット媒体２０４−１に圧力を加えるローラであってよい。いくつかの例においては、第１のローラ２０９−１は、部分的に乾燥したインクジェット媒体２０４−１が第１のローラ２０９−１と第２のローラ２０９−２との間を通るときに、部分的に乾燥したインクジェット媒体２０４−１に力又は圧力を維持するバネ及び／又はアクチュエータを用いて、力及び／又は圧力を、部分的に乾燥したインクジェット媒体２０４−１に加えることができる。いくつかの例においては、第１のローラ２０９−１は反時計回りの方向に動いて、部分的に乾燥したインクジェット媒体２０４−１を矢印２１０方向に移動させることができる。
【００１８】
いくつかの例においては、第１のローラ２０９−１の速度は、部分的に乾燥したインクジェット媒体２０４−１が調整装置２０８を通過する速度を変えるために、変化させることができる。いくつかの例においては、第１のローラ２０９−１の速度は、部分的に乾燥したインクジェット媒体２０４−１の水分レベル、及び／又は本明細書で説明するような、歪められた性状の重大さに基づいて、変化させることができる。例えば、水分レベルが閾値を上回る場合（例えば、比較的高い水分レベル等）、第１のローラ２０９−１の速度は、比較的遅い速度に変化させることができる。いくつかの例においては、部分的に乾燥したインクジェット媒体２０４−１の水分レベルは、歪められた性状の重大さに相応し得る。例えば、比較的高い水分レベルは、比較的大きい歪められた性状の重大さに相応し得る。
【００１９】
いくつかの例においては、第１のローラ２０９−１は、部分的に乾燥したインクジェット媒体２０４−１に加える圧力を変化させるように調整できる、圧力ローラであってよい。いくつかの例においては、圧力は、部分的に乾燥したインクジェット媒体２０４−１の水分レベルに基づいて変化させることができる。例えば、部分的に乾燥したインクジェット媒体２０４−１が閾値を上回る水分レベルである場合、第１のローラ２０９−１の圧力は比較的高い圧力に変化させることができ、部分的に乾燥したインクジェット媒体２０４−１が閾値を下回る水分レベルである場合、第１のローラ２０９−１の圧力は比較的低い圧力に変化させることができる。
【００２０】
いくつかの例においては、第２のローラ２０９−２は、部分的に乾燥したインクジェット媒体２０４−１の第２の側に熱を加える加熱したローラであってよい。いくつかの例においては、第２のローラ２０９−２は、組み込まれた熱源を伴うソリッドローラであってよい。いくつかの例においては、第２のローラ２０９−２は、熱源２１２から、部分的に乾燥したインクジェット媒体２０４−１の第２の側に熱を伝えるベルト２１４を含む、加熱したベルトのローラであってよい。例えば、第２のローラ２０９−２は、ハロゲン熱源等の熱源２１２を含むことができる。この例においては、ハロゲン熱源は、時計回りに回転して、部分的に乾燥したインクジェット媒体２０４−１を矢印２１０の方向に移動させるベルト２１４に、熱を伝えることができる。いくつかの例においては、ベルト２１４に伝えられた熱は、部分的に乾燥したインクジェット媒体２０４−１の第２の側に伝えることができる。例えば、ベルト２１４は、図２に例示するように、部分的に乾燥したインクジェット媒体２０４−１の下側に、熱を伝えることができる。
【００２１】
いくつかの例においては、熱源２１２を調整して、ベルト２１４及び／又は部分的に乾燥したインクジェット媒体２０４−１の第２の側に、異なる熱量を加えることができる。いくつかの例においては、熱源２１２は、部分的に乾燥したインクジェット媒体２０４−１の水分レベルに基づいて変化させることができる。例えば、部分的に乾燥したインクジェット媒体２０４−１の水分レベルが閾値よりも大きい場合、より多くの熱量を、部分的に乾燥したインクジェット媒体２０４−１に加えてよく、部分的に乾燥したインクジェット媒体２０４−１の水分レベルが閾値未満の場合、より少ない熱量を、部分的に乾燥したインクジェット媒体２０４−１に加えてよい。
【００２２】
システム２００は、従来のシステム及び方法に比べて、部分的に乾燥したインクジェット媒体２０４−１、２０４−２の歪められた特徴を、より多く除去することができる。例えば、システム２００は、部分的に乾燥したインクジェット媒体２０４−１，２０４−２に適用された印刷流体の蒸発を促進させる、加熱した圧力ローラを用いる調整装置２０８を利用することができる。いくつかの例においては、調整装置２０８は、部分的に乾燥したインクジェット媒体２０４−１，２０４−２の多くの性状を改善することができ、それによって、付着した印刷流体によって生じる、部分的に乾燥したインクジェット媒体２０４−１，２０４−２の歪められた性状を除去又は軽減することができる。
【００２３】
図３は、本開示に係る部分的に乾燥したインクジェット媒体の調整装置の例示的なシステム３００を示す。いくつかの例においては、システム３００は、図１にて参照したシステム１００、及び／又は図２にて参照したシステム２００と類似の要素を含むことができる。例えば、システム３００は、部分的に乾燥したインクジェット媒体３０４−１，３０４−２を生成する印刷ゾーン３０２であって、印刷媒体上に印刷流体を付着させる印刷ゾーン３０２を含むことができる。いくつかの例においては、部分的に乾燥したインクジェット媒体３０４−１は、本明細書で説明するような、歪められた性状３０６を含むことがある。
【００２４】
いくつかの例においては、部分的に乾燥したインクジェット媒体３０４−１は、第１の調整装置３０８−１及び第２の調整装置３０８−２を通して、矢印３１０の方向に移動できる。いくつかの例においては、第１の調整装置３０８−１は第１の加熱した圧力ローラを含むことができ、第２の調整装置３０８−２は、第２の加熱した圧力ローラを含むことができる。いくつかの例においては、本明細書で説明するように、第１の調整装置３０８−１は、部分的に乾燥したインクジェット媒体３０４−１の第１の側に圧力を加える圧力ローラである第１のローラ３０９−１を含むことができる。いくつかの例においては、第１の調整装置３０８−１は、部分的に乾燥したインクジェット媒体３０４−１の第２の側に熱を加える熱源３１２及びベルト３１４を有する第２のローラ３０９−２を含むことができる。いくつかの例においては、本明細書で説明するように、第２の調整装置３０８−２は、部分的に乾燥したインクジェット媒体３０４−１の第１の側に圧力を加える圧力ローラである第１のローラ３１１−１を含むことができる。いくつかの例においては、本明細書で説明するように、第２の調整装置３０８−２は、部分的に乾燥したインクジェット媒体３０４−１の第２の側に熱を加える熱源３１６及びベルト３１８を含む、加熱したローラである第２のローラ３１１−２を含むことができる。
【００２５】
いくつかの例においては、第１の調整装置３０８−１及び第２の調整装置３０８−１は、同じ向きにすることができる。例えば、第１の調整装置３０８−１は、部分的に乾燥したインクジェット媒体３０４−１の第１の側を受け入れるように構成される第１のローラ３０９−１と、部分的に乾燥したインクジェット媒体３０４−１の第２の側を受け入れるように構成される第２のローラ３０９−２とを含むことができる。この例においては、第１のローラ３０９−１は本明細書で説明するような圧力ローラであってよく、第２のローラ３０９−２は本明細書で説明するような加熱したローラであってよい。この例においては、第２の調整装置３０８−２は、部分的に乾燥したインクジェット媒体３０４−１の第１の側を受け入れるように構成される第１のローラ３１１−１と、部分的に乾燥したインクジェット媒体３０４−１の第２の側を受け入れるように構成される第２のローラ３１１−２とを含むことができる。この例においては、第１のローラ３１１−１は本明細書で説明するような圧力ローラであってよく、第２のローラ３１１−２は本明細書で説明するような加熱したローラであってよい。
【００２６】
いくつかの例においては、第１の調整装置３０８−１の速度、及び／又は第２の調整装置３０８−２の速度は、本明細書で説明するように変化させることができる。いくつかの例においては、第１の調整装置３０８−１の速度、及び／又は第２の調整装置３０８−２の速度は、部分的に乾燥したインクジェット媒体３０４−１に張力を加えるために変化させることができる。例えば、第１の調整装置３０８−１は第１の速度に変化させることができ、第２の調整装置３０８−２は第２の速度に変化させることができる。いくつかの例においては、第１の速度及び第２の速度は、部分的に乾燥したインクジェット媒体３０４−１に張力を加えるために、異なっていてもよい。例えば、部分的に乾燥したインクジェット媒体３０４−１に、矢印３１０の方向に張力を加えるために、第１の速度を第２の速度よりも遅くすることができる。いくつかの例においては、さらなるローラをシステムに追加して、本明細書で説明するような張力を加えることができる。例えば、ローラを、印刷ゾーン３０２と第１の調整装置３０８−１との間に位置付けて、印刷ゾーン３０２と第１の調整装置３０８−１との間で、部分的に乾燥したインクジェット媒体３０４−１に張力を加えることができる。いくつかの例においては、本明細書で説明するように、張力によって、部分的に乾燥したインクジェット媒体３０４−１の不整列の繊維を再整列させることができる。
【００２７】
システム３００は、従来のシステム及び方法に比べて、部分的に乾燥したインクジェット媒体３０４−１，３０４−２の歪められた特徴を、より多く除去することができる。例えば、システム３００は、部分的に乾燥したインクジェット媒体３０４−１，３０４−２に適用された印刷流体の蒸発を促進させるため、各々が加熱した圧力ローラを用いた、複数の調整装置３０８−１，３０８−２を利用することができる。いくつかの例においては、調整装置３０８−１，３０８−２は、熱、圧力、及び／又は張力を、部分的に乾燥したインクジェット媒体３０４−１に加えることによって、部分的に乾燥したインクジェット媒体３０４−１，３０４−２の多くの性状を改善することができ、それによって、付着した印刷流体によって生じる、部分的に乾燥したインクジェット媒体３０４−１，３０４−２の歪められた性状を、除去又は軽減することができる。
【００２８】
図４は、本開示に係る部分的に乾燥したインクジェット媒体の調整装置の例示的なシステム４００を示す。いくつかの例においては、システム４００は、図１にて参照したシステム１００、図２にて参照したシステム２００、及び／又は図３にて参照したシステム３００と類似の要素を含むことができる。例えば、システム４００は、部分的に乾燥したインクジェット媒体４０４−１，４０４−２を生成する印刷ゾーン４０２であって、印刷媒体上に印刷流体を付着させる印刷ゾーン４０２を含むことができる。いくつかの例においては、部分的に乾燥したインクジェット媒体４０４−１は、本明細書で説明するような、歪められた性状４０６を含むことがある。
【００２９】
いくつかの例においては、部分的に乾燥したインクジェット媒体４０４−１は、第１の調整装置４０８−１及び第２の調整装置４０８−２を通して、矢印４１０の方向に移動できる。いくつかの例においては、第１の調整装置４０８−１は第１の加熱した圧力ローラを含むことができ、第２の調整装置４０８−２は、第２の加熱した圧力ローラを含むことができる。いくつかの例においては、本明細書で説明するように、第１の調整装置４０８−１は、部分的に乾燥したインクジェット媒体４０４−１の第１の側に圧力を加える圧力ローラである第１のローラ４０９−１を含むことができる。いくつかの例においては、第１の調整装置４０８−１は、部分的に乾燥したインクジェット媒体４０４−１の第２の側に熱を加える熱源４１２及びベルト４１４を有する第２のローラ４０９−２を含むことができる。いくつかの例においては、本明細書で説明するように、第２の調整装置４０８−２は、部分的に乾燥したインクジェット媒体４０４−１の第２の側に圧力を加える圧力ローラである第１のローラ４１１−１を含むことができる。いくつかの例においては、本明細書で説明するように、第２の調整装置４０８−２は、部分的に乾燥したインクジェット媒体４０４−１の第１の側に熱を加える熱源４１６及びベルト４１８を有する、加熱したローラである第２のローラ４１１−２を含むことができる。これらの例においては、部分的に乾燥したインクジェット媒体４０４−１の第２の側に熱を加える第１の加熱したローラ（例えば、第２のローラ４０９−２）、及び部分的に乾燥したインクジェット媒体４０４−１の第１の側に熱を加える第２の加熱したローラ（例えば、第２のローラ４１１−２）。このように、熱は、部分的に乾燥したインクジェット媒体４０４−１の第１の側及び第２の側に均等に分配され得る。
【００３０】
いくつかの例においては、第１の調整装置４０８−１及び第２の調整装置４０８−１は、反対の向きにすることができる。例えば、第１の調整装置４０８−１は、部分的に乾燥したインクジェット媒体４０４−１の第１の側を受け入れるように構成される第１のローラ４０９−１と、部分的に乾燥したインクジェット媒体４０４−１の第２の側を受け入れるように構成される第２のローラ４０９−２とを含むことができる。この例においては、第１のローラ４０９−１は本明細書で説明するような圧力ローラであってよく、第２のローラ４０９−２は本明細書で説明するような加熱したローラであってよい。この例においては、第２の調整装置４０８−２は、部分的に乾燥したインクジェット媒体４０４−１の第２の側を受け入れるように構成される第１のローラ４１１−１と、部分的に乾燥したインクジェット媒体４０４−１の第１の側を受け入れるように構成される第２のローラ４１１−２とを含むことができる。この例においては、第１のローラ４１１−１は本明細書で説明するような圧力ローラであってよく、第２のローラ４１１−２は本明細書で説明するような加熱したローラであってよい。
【００３１】
いくつかの例においては、第１の調整装置４０８−１の速度、及び／又は第２の調整装置４０８−２の速度は、本明細書で説明するように変化させることができる。いくつかの例においては、第１の調整装置４０８−１の速度、及び／又は第２の調整装置４０８−２の速度は、部分的に乾燥したインクジェット媒体４０４−１に張力を加えるために変化させることができる。例えば、第１の調整装置４０８−１は第１の速度に変化させることができ、第２の調整装置４０８−２は第２の速度に変化させることができる。いくつかの例においては、第１の速度及び第２の速度は、部分的に乾燥したインクジェット媒体４０４−１に張力を加えるために、異なっていてもよい。例えば、部分的に乾燥したインクジェット媒体４０４−１に、矢印４１０の方向に張力を加えるために、第１の速度を第２の速度よりも遅くすることができる。いくつかの例においては、さらなるローラをシステムに追加して、本明細書で説明するような張力を加えることができる。例えば、ローラを、印刷ゾーン４０２と第１の調整装置４０８−１との間に位置付けて、印刷ゾーン４０２と第１の調整装置４０８−１との間で、部分的に乾燥したインクジェット媒体４０４−１に張力を加えることができる。
【００３２】
システム４００は、従来のシステム及び方法に比べて、部分的に乾燥したインクジェット媒体４０４−１，４０４−２の歪められた特徴を、より多く除去することができる。例えば、システム４００は、部分的に乾燥したインクジェット媒体４０４−１、４０４−２に適用された印刷流体の蒸発を促進させるため、各々が加熱した圧力ローラを用いた、複数の調整装置４０８−１，４０８−２を利用することができる。いくつかの例においては、調整装置４０８−１，４０８−２は、熱、圧力、及び／又は張力を、部分的に乾燥したインクジェット媒体４０４−１に加えることによって、部分的に乾燥したインクジェット媒体４０４−１，４０４−２の多くの性状を改善することができ、それによって、付着した印刷流体によって生じる、部分的に乾燥したインクジェット媒体４０４−１，４０４−２の歪められた性状を、除去又は軽減することができる。
【００３３】
図５は、本開示に係る部分的に乾燥したインクジェット媒体の調整装置の例示的なシステムを示す。いくつかの例においては、システム５００は、図１にて参照したシステム１００、図２にて参照したシステム２００、図３にて参照したシステム３００、及び／又は図４にて参照したシステム４００と類似の要素を含むことができる。例えば、システム５００は、部分的に乾燥したインクジェット媒体５０４−１，５０４−２を生成するための、印刷媒体上に印刷流体を付着させる印刷ゾーン５０２を含むことができる。いくつかの例においては、部分的に乾燥したインクジェット媒体５０４−１は、本明細書で説明するような、歪められた性状を含むことがある。
【００３４】
いくつかの例においては、システム５００は、部分的に乾燥したインクジェット媒体５０４−１に熱及び／又は空気を加えることを可能とする乾燥器ゾーン５２０を含むことができる。いくつかの例においては、乾燥器ゾーン５２０を、印刷ゾーン５０２と第１の調整装置５０８−１との間に連結することができる。いくつかの例においては、乾燥器ゾーン５２０を利用して、部分的に乾燥したインクジェット媒体５０４−１の水分レベルを、第１の調整装置５０８−１に受け入れられる前に下げることができる。いくつかの例においては、乾燥器ゾーン５２０を利用して、部分的に乾燥したインクジェット媒体５０４−１の水分レベルを、第１の閾値を下回るように下げることができる。いくつかの例においては、乾燥器ゾーン５２０を、印刷ゾーン５０２と、調整装置５０８−１、すなわち、部分的に乾燥したインクジェット媒体５０４−１に、印刷流体によって生成された画像を固着するように構成される第１の加熱した圧力ローラとの間に連結することができる。例えば、乾燥器ゾーン５２０は、印刷流体によって生成された画像を固着又は設定することができ、それによって、調整装置５０８−１は印刷流体によって生成した画像を歪めない。
【００３５】
いくつかの例においては、乾燥器ゾーン５２０は、部分的に乾燥したインクジェット媒体の水分レベルが、第２の閾値を下回るのを防ぐことができる。例えば、部分的に乾燥したインクジェット媒体５０４−１の水分レベルが、第１の閾値と第２の閾値との間にある場合、システム５００を利用して、部分的に乾燥したインクジェット媒体５０４−１を改善することができる。例えば、本明細書で説明するように、第１の閾値と第２の閾値との間にある水分レベルは、第１の調整装置５０８−１及び／又は第２の調整装置５０８−２によって、部分的に乾燥したインクジェット媒体５０４−１を改善することが可能になる。
【００３６】
いくつかの例においては、乾燥器ゾーン５２０を利用して、部分的に乾燥したインクジェット媒体５０４−１の第２の側に熱を加えて、印刷ゾーン５０２で部分的に乾燥したインクジェット媒体５０４−１に適用した印刷流体の蒸発を促進させることができる。いくつかの例においては、乾燥器ゾーン５２０で加えられた熱量は、部分的に乾燥したインクジェット媒体５０４−１の水分レベルに基づいてよい。例えば、水分レベルが第１の閾値を上回る場合、熱量を増加させることができ、水分レベルが第１の閾値と第２の閾値との間にある場合、熱量を減少させることができる。本明細書で説明するとき、第１の閾値と第２の閾値との間にある水分レベルは、第１の調整装置５０８−１及び／又は第２の調整装置５０８−２が、部分的に乾燥したインクジェット媒体を改善することを可能にして、それによって部分的に乾燥したインクジェット媒体５０４−１から、歪められた性状を除去又は軽減させることができる。
【００３７】
いくつかの例においては、部分的に乾燥したインクジェット媒体５０４−１を、第１の調整装置５０８−１の入力部と、第１の調整装置５０８−１の出力部に連結された第２の調整装置５０８−２の入力部とを通して、矢印５１０の方向に移動させることができる。いくつかの例においては、第１の調整装置５０８−１は第１の加熱した圧力ローラを含むことができ、第２の調整装置５０８−２は、第２の加熱した圧力ローラを含むことができる。いくつかの例においては、本明細書で説明するように、第１の調整装置５０８−１は、部分的に乾燥したインクジェット媒体５０４−１の第１の側に圧力を加える圧力ローラである第１のローラ５０９−１を含むことができる。いくつかの例においては、第１の調整装置５０８−１は、部分的に乾燥したインクジェット媒体５０４−１の第２の側に熱を加える熱源５１２及びベルト５１４を有する第２のローラ５０９−２を含むことができる。いくつかの例においては、本明細書で説明するように、第２の調整装置５０８−２は、部分的に乾燥したインクジェット媒体５０４−１の第２の側に圧力を加える圧力ローラである第１のローラ５１１−１を含むことができる。いくつかの例においては、本明細書で説明するように、第２の調整装置５０８−２は、部分的に乾燥したインクジェット媒体５０４−１の第１の側に熱を加える熱源５１６及びベルト５１８を有する、加熱したローラである第２のローラ５１１−２を含むことができる。これらの例においては、部分的に乾燥したインクジェット媒体５０４−１の第２の側に熱を加える第１の加熱したローラ（例えば、第２のローラ５０９−２）、及び部分的に乾燥したインクジェット媒体５０４−１の第１の側に熱を加える第２の加熱したローラ（例えば、第２のローラ５１１−２）。このように、熱は、部分的に乾燥したインクジェット媒体５０４−１の第１の側及び第２の側に、均等に分配され得る。
【００３８】
いくつかの例においては、第１の調整装置５０８−１及び第２の調整装置５０８−１は、反対の向きにすることができる。例えば、第１の調整装置５０８−１は、部分的に乾燥したインクジェット媒体５０４−１の第１の側を受け入れるように構成される第１のローラ５０９−１と、部分的に乾燥したインクジェット媒体５０４−１の第２の側を受け入れるように構成される第２のローラ５０９−２とを含むことができる。この例においては、第１のローラ５０９−１は本明細書で説明するような圧力ローラであってよく、第２のローラ５０９−２は本明細書で説明するような加熱したローラであってよい。この例においては、第２の調整装置５０８−２は、部分的に乾燥したインクジェット媒体５０４−１の第２の側を受け入れるように構成される第１のローラ５１１−１と、部分的に乾燥したインクジェット媒体５０４−１の第１の側を受け入れるように構成される第２のローラ５１１−２とを含むことができる。この例においては、第１のローラ５１１−１は本明細書で説明するような圧力ローラであってよく、第２のローラ５１１−２は本明細書で説明するような加熱したローラであってよい。
【００３９】
いくつかの例においては、第１の調整装置５０８−１の速度、及び／又は第２の調整装置５０８−２の速度は、本明細書で説明するように変化させることができる。いくつかの例においては、第１の調整装置５０８−１の速度、及び／又は第２の調整装置５０８−２の速度は、部分的に乾燥したインクジェット媒体５０４−１に張力を加えるために変化させることができる。例えば、第１の調整装置５０８−１は第１の速度に変化させることができ、第２の調整装置５０８−２は第２の速度に変化させることができる。いくつかの例においては、第１の速度及び第２の速度は、部分的に乾燥したインクジェット媒体５０４−１に張力を加えるために、異なっていてもよい。例えば、部分的に乾燥したインクジェット媒体５０４−１に矢印５１０の方向に張力を加えるために、第１の速度を第２の速度よりも遅くすることができる。いくつかの例においては、さらなるローラをシステムに追加して、本明細書で説明するような張力を加えることができる。例えば、ローラを、印刷ゾーン５０２と第１の調整装置５０８−１との間に位置付けて、印刷ゾーン５０２と第１の調整装置５０８−１との間で、部分的に乾燥したインクジェット媒体５０４−１に張力を加えることができる。
【００４０】
システム５００は、従来のシステム及び方法に比べて、部分的に乾燥したインクジェット媒体５０４−１，５０４−２の歪められた特徴を、より多く除去することができる。例えば、システム５００は、部分的に乾燥したインクジェット媒体５０４−１，５０４−２に適用された印刷流体の蒸発を促進させるため、各々が加熱した圧力ローラを用いた、複数の調整装置５０８−１，５０８−２を利用することができる。いくつかの例においては、調整装置５０８−１，５０８−２は、熱、圧力、及び／又は張力を、部分的に乾燥したインクジェット媒体５０４−１に加えることによって、部分的に乾燥したインクジェット媒体５０４−１，５０４−２の多くの性状を改善することができ、それによって、付着した印刷流体によって生じる、部分的に乾燥したインクジェット媒体５０４−１，５０４−２の歪められた性状を、除去又は軽減することができる。
【００４１】
上記の明細書、例、及びデータは、本開示の方法及び用途の説明、ならびにシステム及び方法の使用を提供する。本明細書で使用するとき、「いくつかの」は、単一要素又は複数要素を指すことができる。例えば、いくつかの歪められた性状は、単一の歪められた性状、又は複数の歪められた性状を含むことができる。多くの例が、本開示のシステム及び方法の趣旨、ならびに範囲から逸脱することなく成され得るので、この明細書は、多くの考えられる構成例及び実施例のうちのいくつかを説明したに過ぎない。
【図１】
2019529160.tif 000003
【図２】
2019529160.tif 000004
【図３】
2019529160.tif 000005
【図４】
2019529160.tif 000006
【図５】
2019529160.tif 000007
【国際調査報告】
2019529160.tif 000008